(57)【要約】【課題】防犯性を維持しつつ帰宅時における解除操作の利便性を高めることが可能なインターホンシステムを提供する。【解決手段】玄関子機１００と居室親機２００と防犯センサ３００とを備えるインターホンシステム１であって、インターホンシステム１は、所定の機能がそれぞれ設定された複数の操作部（２０４，２０５，２０６，２０７）を有し、複数の操作部の少なくとも一つに対してインターホンシステム１を防犯状態から待機状態に移行させる簡易防犯解除機能が設定され、防犯状態のインターホンシステム１が防犯センサ３００の出力に基づいて異常を検出して警戒状態であるとき、簡易防犯解除機能が設定された操作部に対する簡易解除操作により防犯状態を解除可能であることを特徴とするインターホンシステム。【選択図】図４
2014192594.tif 000002
【特許請求の範囲】
【請求項１】
居住者を呼び出して通話するための玄関子機と、居室内に設置されるとともに前記玄関子機からの呼び出しに応答するための居室親機と、前記居室親機に接続される防犯センサと、を備えるインターホンシステムであって、
前記インターホンシステムは、所定の機能がそれぞれ設定された複数の操作部を有し、前記複数の操作部の少なくとも一つに対して前記インターホンシステムを防犯状態から待機状態に移行させる簡易防犯解除機能が設定され、
前記防犯状態のインターホンシステムが前記防犯センサの出力に基づいて異常を検出して警戒状態であるとき、前記簡易防犯解除機能が設定された前記操作部に対する簡易解除操作により前記防犯状態を解除可能であることを特徴とするインターホンシステム。
【請求項２】
前記防犯状態のインターホンシステムが前記防犯センサの出力に基づいて異常を検出して警戒状態であるとき、前記簡易解除操作とは異なる操作が行われた場合、前記インターホンシステムは、所定の暗証番号を入力することによって前記防犯状態を解除するための暗証解除操作を受け付けることを特徴とする請求項１に記載のインターホンシステム。
【請求項３】
前記インターホンシステムは画像表示部を有し、
前記防犯状態のインターホンシステムが前記防犯センサの出力に基づいて異常を検出して警戒状態であるとき、前記画像表示部には、所定の暗証番号を入力することによって前記防犯状態を解除するための暗証解除操作を行うための暗証番号入力画面が表示されるとともに、
前記インターホンシステムは前記簡易解除操作および前記暗証解除操作を受け付けることを特徴とする請求項１に記載のインターホンシステム。
【請求項４】
前記インターホンシステムは警報を発する発報部を有し、
前記防犯状態のインターホンシステムが前記防犯センサの出力に基づいて異常を検出して警戒状態であるとき、前記簡易解除操作とは異なる操作が行われた場合、前記発報部は前記警報を発することを特徴とする請求項１に記載のインターホンシステム。
【請求項５】
前記インターホンシステムは、居住者が外出する時に前記インターホンシステムを前記待機状態から前記防犯状態に移行させるための外出操作が行われる外出操作部を有し、
前記外出操作が開始されて前記インターホンシステムが前記待機状態から前記防犯状態に移行されるまでの間に、前記複数の操作部の少なくとも一つに対して所定の操作が行われたことが検出されると、その操作が行われた前記操作部に対して前記簡易防犯解除機能が設定されることを特徴とする請求項１から４のいずれか一項に記載のインターホンシステム。
【請求項６】
前記複数の操作部の各々は点灯部を有し、
前記外出操作が開始された後、前記簡易防犯解除機能が設定されている前記操作部の点灯部と前記簡易防犯解除機能が設定されていない前記操作部の点灯部は、点灯または消灯の状態によって互いに異なる表示態様で表示されることを特徴とする請求項５に記載のインターホンシステム。
【請求項７】
前記インターホンシステムは画像表示部を有し、
前記外出操作が開始された後、前記画像表示部には、前記簡易防犯解除機能が設定されている前記操作部と前記簡易防犯解除機能が設定されていない前記操作部とが、互いに異なる表示態様で表示されることを特徴とする請求項５または６に記載のインターホンシステム。
【請求項８】
前記簡易解除操作は、前記簡易防犯解除機能が設定された前記操作部を所定時間継続して押下する操作であることを特徴とする請求項１から７のいずれか一項に記載のインターホンシステム。
【請求項９】
前記外出操作が開始されて前記インターホンシステムが前記待機状態から前記防犯状態に移行されるまでの間に、前記複数の操作部に対して所定の操作が行われたことが検出されると、その操作が行われた前記複数の操作部に対して、前記所定の操作が行われた前記複数の操作部を操作することを要する前記簡易解除機能が設定されることを特徴とする請求項５から８のいずれか一項に記載のインターホンシステム。
【請求項１０】
前記簡易解除操作の操作パターンは変更可能であることを特徴とする請求項１から９のいずれか一項に記載のインターホンシステム。
【請求項１１】
前記操作パターンは、日時単位で設定することが可能であることを特徴とする請求項１０に記載のインターホンシステム。
【発明の詳細な説明】
【技術分野】
【０００１】
本発明は、インターホンシステムに関するものである。
【背景技術】
【０００２】
近年、盗難事故等の頻発により各家庭において防犯意識が高揚しており、セキュリティ機能について防犯性に優れたインターホンシステムが求められている。
【０００３】
例えば、住戸の玄関等に設置される玄関子機と、住戸内に設置される居室親機と、住戸の窓や扉等に設置される防犯センサとを備えるセキュリティ機能付きインターホンシステムが提案されている（特許文献１参照）。
【０００４】
特許文献１のインターホンシステムでは、居住者は帰宅時に予め設定された暗証番号を入力することで防犯状態を解除することができる。
【先行技術文献】
【特許文献】
【０００５】
【特許文献１】特開２００７−１１６６３０号公報
【発明の概要】
【発明が解決しようとする課題】
【０００６】
特許文献１に記載のようなインターホンシステムでは、居住者は、帰宅時に毎回、一定の複雑度を有する解除操作が必要となるため、防犯機能の活用において利便性が低かった。
【０００７】
本発明は、防犯性を維持しつつ帰宅時における解除操作の利便性を高めることが可能なインターホンシステムを提供することを目的とする。
【課題を解決するための手段】
【０００８】
上記課題を解決することのできる本発明のインターホンシステムは、居住者を呼び出して通話するための玄関子機と、居室内に設置されるとともに前記玄関子機からの呼び出しに応答するための居室親機と、前記居室親機に接続される防犯センサと、を備えるインターホンシステムであって、前記インターホンシステムは、所定の機能がそれぞれ設定された複数の操作部を有し、前記複数の操作部の少なくとも一つに対して前記インターホンシステムを防犯状態から待機状態に移行させる簡易防犯解除機能が設定され、前記防犯状態のインターホンシステムが前記防犯センサの出力に基づいて異常を検出して警戒状態であるとき、前記簡易防犯解除機能が設定された前記操作部に対する簡易解除操作により前記防犯状態を解除可能であることを特徴とするものである。
【０００９】
この態様であれば、簡易解除操作を知っている居住者は、簡易解除操作によって防犯状態を解除することができる。そのため、この態様のインターホンシステムは、帰宅時における解除操作の利便性が高い。また、簡易解除操作の内容を知らない者が、各操作部を操作して防犯状態を解除しようとしても、どの操作部に簡易防犯解除機能が設定されているかについては、侵入者は操作部の外観からは即座に判別できない。そのため、この態様のインターホンシステムは、一定の防犯性が維持される。
【００１０】
また、本発明のインターホンシステムにおいて、前記防犯状態のインターホンシステムが前記防犯センサの出力に基づいて異常を検出して警戒状態であるとき、前記簡易解除操作とは異なる操作が行われた場合、前記インターホンシステムは、所定の暗証番号を入力することによって前記防犯状態を解除するための暗証解除操作を受け付けることにしても良い。
【００１１】
この態様によれば、インターホンシステムが警戒状態であるときに簡易解除操作とは異なる操作が行われた場合、インターホンシステムは暗証解除操作を受け付ける状態に移行する。このように、この態様のインターホンシステムは、簡易解除操作と暗証解除操作とが段階的に用いられるため、防犯性が高い。
【００１２】
また、本発明のインターホンシステムにおいて、前記インターホンシステムは画像表示部を有し、前記防犯状態のインターホンシステムが前記防犯センサの出力に基づいて異常を検出して警戒状態であるとき、前記画像表示部には、所定の暗証番号を入力することによって前記防犯状態を解除するための暗証解除操作を行うための暗証番号入力画面が表示されるとともに、前記インターホンシステムは前記簡易解除操作および前記暗証解除操作を受け付けることにしても良い。
【００１３】
この態様によれば、居住者は、防犯状態を解除する解除操作として、暗証解除操作と簡易解除操作とを選択することができる。また、居住者は、外出する時に設定した解除方法を帰宅時に忘れた場合であっても、暗証番号を入力することによって、防犯状態を解除することができる。このように、この態様のインターホンシステムは、帰宅時における解除操作の利便性が高い。
【００１４】
また、本発明のインターホンシステムにおいて、前記インターホンシステムは警報を発する発報部を有し、前記防犯状態のインターホンシステムが前記防犯センサの出力に基づいて異常を検出して警戒状態であるとき、前記簡易解除操作とは異なる操作が行われた場合、前記発報部は前記警報を発することにしても良い。
【００１５】
この態様によれば、設定された解除方法を知らない侵入者がその解除方法とは異なる操作を行った場合、即座に警報を発する発報状態に移行するため、インターホンシステムの防犯性が向上する。
【００１６】
また、本発明のインターホンシステムにおいて、前記インターホンシステムは、居住者が外出する時に前記インターホンシステムを前記待機状態から前記防犯状態に移行させるための外出操作が行われる外出操作部を有し、前記外出操作が開始されて前記インターホンシステムが前記待機状態から前記防犯状態に移行されるまでの間に、前記複数の操作部の少なくとも一つに対して所定の操作が行われたことが検出されると、その操作が行われた前記操作部に対して前記簡易防犯解除機能が設定されることにしても良い。
【００１７】
この態様によれば、居住者は、外出する時に外出操作を開始した後、インターホンシステムが防犯状態に移行されるまでの間に、操作部に所定の操作を行うことにより、その所定の操作が行われた操作部に対して簡易防犯解除機能を設定することができる。従って、居住者は、外出する時に解除方法を変更してから外出しようとする場合、解除方法を変更するための専用の操作を予め行うことなく、外出する時に外出操作を開始した後に新たな解除方法を設定することができる。このように、この態様のインターホンシステムは、外出する時における操作の利便性が高い。
【００１８】
また、本発明のインターホンシステムにおいて、前記複数の操作部の各々は点灯部を有し、前記外出操作が開始された後、前記簡易防犯解除機能が設定されている前記操作部の点灯部と前記簡易防犯解除機能が設定されていない前記操作部の点灯部は、点灯または消灯の状態によって互いに異なる表示態様で表示されることにしても良い。
【００１９】
この態様によれば、居住者は、各操作部の点灯部の表示態様を見ることで、その時点で簡易防犯解除機能が設定されている操作部を確認することができる。従って、居住者は、居住者が外出操作を開始した後に、その時点で簡易防犯解除機能が設定されている操作部を忘れた場合であっても、外出操作を解除することなく、簡易防犯解除機能が設定されている操作部を確認することができる。
【００２０】
また、本発明のインターホンシステムにおいて、前記インターホンシステムは画像表示部を有し、前記外出操作が開始された後、前記画像表示部には、前記簡易防犯解除機能が設定されている前記操作部と前記簡易防犯解除機能が設定されていない前記操作部とが、互いに異なる表示態様で表示されることにしても良い。
【００２１】
この態様によれば、居住者は、画像表示部に表示されている操作部を見ることで、その時点で簡易防犯解除機能が設定されている操作部を確認することができる。従って、例えば居住者がその時点で簡易防犯解除機能が設定されている操作部を忘れた場合であっても、外出操作を解除することなく、その時点で簡易防犯解除機能が設定されている操作部を確認することができる。
【００２２】
また、本発明のインターホンシステムにおいて、前記簡易解除操作は、前記簡易防犯解除機能が設定された前記操作部を所定時間継続して押下する操作であることにしても良い。
【００２３】
この態様によれば、居住者は、所定の操作部を所定時間、押下するだけという簡単な操作で防犯状態を解除することができる。このため、帰宅時における解除操作のインターホンシステムの利便性が向上する。また、所定時間だけ継続して押下する必要があるため、解除操作の内容を知らない侵入者が手当たり次第に（ランダムに）各操作部を操作して防犯状態を解除しようとしても防犯状態の解除は困難であり、インターホンシステムの防犯性は高い。
【００２４】
また、本発明のインターホンシステムにおいて、前記外出操作が開始されて前記インターホンシステムが前記待機状態から前記防犯状態に移行されるまでの間に、前記複数の操作部に対して所定の操作が行われたことが検出されると、その操作が行われた前記複数の操作部に対して、前記所定の操作が行われた前記複数の操作部を操作することを要する前記簡易解除機能が設定されることにしても良い。
【００２５】
この態様によれば、居住者は、複数の操作部を操作することを要する簡易解除機能を設定することがで、インターホンシステムの防犯性を向上させることができる。
【００２６】
また、本発明のインターホンシステムにおいて、前記簡易解除操作の操作パターンは変更可能であることにしても良い。
【００２７】
この態様によれば、居住者は、簡易解除操作の操作パターンを細かく設定することで、インターホンシステムの防犯性を向上させることができる。
【００２８】
また、本発明のインターホンシステムにおいて、前記操作パターンは、日時単位で設定することが可能であることにしても良い。
【００２９】
この態様によれば、居住者は、時間や曜日によって簡易解除操作の操作パターンを変えることで、インターホンシステムの防犯性を向上させることができる。
【発明の効果】
【００３０】
本発明によれば、防犯性を維持しつつ帰宅時における解除操作の利便性を高めることが可能なインターホンシステムを提供することができる。
【図面の簡単な説明】
【００３１】
【図１】本発明の実施形態を示すインターホンシステムの概略構成図である。
【図２】居室親機の構成を示すブロック図である。
【図３】外出操作を説明するための図であり、図中の（ａ）〜（ｄ）は外出操作の各ステップを説明するための図である。
【図４】防犯状態を解除する操作の一例を説明するための図であり、図中の（ａ）〜（ｂ）は解除操作の各ステップを説明するための図である。
【図５】防犯状態を解除する操作の一例を説明するための図であり、図中の（ａ）〜（ｃ）は解除操作の各ステップを説明するための図である。
【発明を実施するための形態】
【００３２】
以下、本発明に係るインターホンシステムの実施の形態の例を、図面を参照して説明する。
図１に示されるように、本実施形態に係るインターホンシステム１は、マンション等の集合住宅や一戸建てにおける住戸の玄関付近に設置された玄関子機１００と、住戸内に設置された居室親機２００と、住戸の窓やドア等の出入り口付近に設置された防犯センサ３００と、を備えている。
【００３３】
玄関子機１００は、子機操作部１０１と、子機カメラ１０２と、子機スピーカ１０３と、子機マイク１０４と、を有している。子機操作部１０１は、住戸内に在室中の居住者を呼び出す際に、来訪者が所定の呼出操作を行うためのものである。  
【００３４】
子機カメラ１０２は、呼出操作を行った来訪者や玄関子機１００が設置された周囲の映像等を撮像するためのものである。
【００３５】
子機スピーカ１０３と子機マイク１０４は、来訪者が居住者との間で通話をする際に、音声を入出力するためのものである。なお、子機スピーカ１０３（発報部の一例）は、住戸内の防犯センサ３００が異常を検出した際に警報音を出力する機能も有している。
【００３６】
居室親機２００は、玄関子機からの呼び出しに応答するための操作や、防犯設定等の各種機能を利用するための操作を行うものであり、親機マイク２０１と、親機スピーカ２０２と、タッチパネル表示部２０３と、通話スイッチ２０４と、終了スイッチ２０５と、ホームスイッチ２０６と、解錠スイッチ２０７と、を有している。
【００３７】
親機マイク２０１と親機スピーカ２０２は、居住者が来訪者等との間で通話をする際に、音声を入出力するためのものである。また、親機スピーカ２０２（発報部の一例）は、来訪者からの呼び出しがある旨の呼出音や、上述の警報音を出力する機能も有している。
【００３８】
タッチパネル表示部２０３（画像表示部の一例）は、各機能を案内するための初期メニュー画面２５０等の各種画面、来訪者からの呼び出しがある旨の文字メッセージや絵データ、及び子機カメラ１０２で撮像された映像等を表示するためのものである。また、タッチパネル表示部２０３は、初期メニュー画面２５０で案内されている各機能の中から所望の機能を利用するためのタッチ操作が行われるものである。例えば、本例の初期メニュー画面２５０は、情報サービスを利用するための情報アイコン２５０ａ、防犯設定をするための防犯アイコン２５０ｂ、及びその他の設定をするための設定アイコン２５０ｃを有している。
【００３９】
通話スイッチ２０４（操作部の一例）は、居住者が来訪者からの呼び出しに応答して通話する際に、所定の応答操作を行うためのものである。通話スイッチ２０４は、後述する制御部の制御信号に基づいて点灯や消灯する（点灯と消灯とが周期的に繰り返し切り替えられた状態である点滅も可能）通話表示灯２０４ａ（点灯部の一例）を有している。また、終了スイッチ２０５（操作部の一例）は、来訪者との通話を終了させる終了操作を行うためのものである。終了スイッチ２０５は、後述する制御部の制御信号に基づいて点灯や消灯する（点滅も可能）終了表示灯２０５ａ（点灯部の一例）を有している。
【００４０】
ホームスイッチ２０６（操作部の一例）は、タッチパネル表示部２０３に表示されている画面を初期メニュー画面２５０に戻すためのリセット操作を行うためのものである。ホームスイッチ２０６は、後述する制御部の制御信号に基づいて点灯や消灯する（点滅も可能）ホーム表示灯２０６ａ（点灯部の一例）を有している。
【００４１】
解錠スイッチ２０７（操作部の一例）は、例えば、マンションにインターホンシステム１が導入された場合、そのマンションの集合玄関の扉を開放する解除操作を行うためのものである。解錠スイッチ２０７は、後述する制御部の制御信号に基づいて点灯、点滅および消灯する（点滅も可能）解錠表示灯２０７ａ（点灯部の一例）を有している。
【００４２】
このように、居室親機２００は、それぞれ所定の機能が設定された複数のスイッチ（通話スイッチ２０４、終了スイッチ２０５、ホームスイッチ２０６、解錠スイッチ２０７）を有している。
【００４３】
防犯センサ３００は、住戸の窓やドアの開閉動作を監視するためのものであり、居室親機２００と接続されている。防犯センサ３００は、インターホンシステム１が防犯状態であるときに住戸の窓やドアが開放された場合、子機スピーカ１０３や親機スピーカ２０２に警報音を出力させるための検出信号を後述の防犯センサ回路２１５から出力するものである。
【００４４】
図２は、居室親機２００の制御系の構成を示すブロック図である。図２に示されるように、居室親機２００は、図１を参照して説明した親機マイク２０１等の各構成に加えて、制御部２１０と、記憶部２１１と、子機回路２１２と、映像回路２１３と、通話回路２１４と、防犯センサ回路２１５と、を有している。
【００４５】
制御部２１０は、居室親機２００の各部の動作を制御するものであり、その主構成部としてＣＰＵ（Central Processing Unit）を有している。
【００４６】
記憶部２１１は、例えば居住者が帰宅時にインターホンシステム１の防犯状態を解除するために入力する暗証番号を記憶する暗証番号記憶部２１１ａと、簡易解除操作の設定情報を記憶する簡易解除操作記憶部２１１ｂと、警戒音の音データを記憶する警戒音記憶部２１１ｃと、を有している。
【００４７】
子機回路２１２は、玄関子機１００と居室親機２００との間の信号伝送路を形成するための通信回路である。例えば、子機回路２１２は、玄関子機１００の子機カメラ１０２で撮像された映像データを受信して映像回路２１３に送信する。映像回路２１３は映像データを復調する処理等を行い、そのデータを制御部２１０に送信する。制御部２１０は、映像回路２１３から送られてきたデータをタッチパネル表示部２０３に表示させる制御を行う。また、例えば、来訪者と居住者が通話する際には、子機回路２１２は、玄関子機１００の子機スピーカ１０３から送信されてきた音声データを受信して通話回路２１４に送信する。通話回路２１４で信号処理されたデータは親機スピーカ２０２に送信されて出力される。
【００４８】
防犯センサ回路２１５は、防犯センサ３００が人物等を検出したときに検出信号を制御部２１０に送信するための回路である。例えば、防犯センサ３００が異常を検出して防犯センサ回路２１５が検出信号を制御部２１０に送信した場合、警戒音記憶部２１１ｃに記憶された警戒音の音データが居室親機２００の親機スピーカ２０２に送信されて警戒音として出力される。また、例えば、防犯センサ３００が異常を検出して防犯センサ回路２１５が検出信号を制御部２１０に送信した場合、警戒音記憶部２１１ｃに記憶された警戒音の音データが子機回路２１２を介して玄関子機１００の子機スピーカ１０３に送信されて警戒音として出力される。
【００４９】
このように構成されたインターホンシステム１は、待機状態と防犯状態のいずれかに設定されて使用される。本例での待機状態とは、居住者が住戸内に居るときに設定されるものである。また、防犯状態とは、侵入者が住戸の窓やドアを開放することを監視するために設定されるものである。本例の防犯状態は、防犯待機状態と、警戒状態と、発報状態とに分けられる。防犯待機状態とは、外出操作の終了後、居住者が玄関のドアを施錠して外出するまでの外出動作時間（例えば３０秒）が経過した後の状態である。警戒状態とは、防犯センサ３００が異常を検出してから親機スピーカ２０２や子機スピーカ１０３等に警報音を出力させる制御が開始されるまでの間の状態である。警戒状態では、帰宅した居住者が居室親機２００に解除操作を行うための解除操作時間（例えば３０秒）が確保されている。なお、警戒状態では、居住者に対して解除操作時間が進行している旨をメロディ等で通知しても良い。発報状態とは、解除操作を行うための時間が経過して親機スピーカ２０２や子機スピーカ１０３等から警報音が出力されている状態である。
【００５０】
上記の防犯状態から待機状態に移行させるには、暗証番号記憶部２１１ａに記憶された暗証番号を入力する暗証解除操作または暗証解除操作より簡易な簡易解除操作を行う。本例での簡易解除操作とは、例えば、居住者が帰宅時に簡易防犯解除機能が設定されたスイッチ（例えば通話スイッチ等）を押下するだけで、インターホンシステム１の防犯状態を解除できるという操作である。簡易解除操作記憶部２１１ｂに記憶される設定情報には、簡易解除操作の操作パターン、例えば、どのスイッチに簡易防犯解除機能が設定されたか、解除の際に簡易防犯解除機能が設定されたスイッチを押し続ける時間（所定時間）は何秒であるか、何月何日のどの時間帯に対する解除操作であるか（日時単位の設定）等が含まれる。例えば、居住者は、初期メニュー画面２５０の設定アイコン２５０ｃをタッチして専用の設定画面を表示させて、その画面上で、「毎週水曜日、午後１７：００〜２０：００の時間帯に対して、簡易解除操作は通話スイッチ２０４を５秒間押し続けること」等の操作パターンを設定することができる。
【００５１】
次に、図３を参照して、居住者が外出する時にインターホンシステム１を待機状態から防犯状態に移行させるための外出操作を説明する。外出操作とは、インターホンシステム１を待機状態から防犯状態に移行させるための操作である。本例の外出操作は、初期メニュー画面２５０の防犯アイコン２５０ｂ（外出操作部の一例）をタッチすることで開始され、防犯アイコン２５０ｂをタッチした後に表示される防犯設定画面２６０（図３の（ｂ）等を参照）の一部に表示される外出アイコン２６０ａ（外出操作部の一例）をタッチすることで終了する操作である。以下の説明では、予め通話スイッチ２０４に簡易防犯解除機能が設定されていて、居住者が簡易防犯解除機能を設定するスイッチを他のスイッチに変更してから外出するときの操作を説明する。
【００５２】
図３の（ａ）は、インターホンシステム１が待機状態に設定されており、居室親機２００のタッチパネル表示部２０３に初期メニュー画面２５０が表示されている状態を示している。図３の（ａ）に示されるように、居住者は、初期メニュー画面２５０の防犯アイコン２５０ｂをタッチして外出操作を開始する。
【００５３】
防犯アイコン２５０ｂがタッチされると、図３の（ｂ）に示されるように、タッチパネル表示部２０３には、防犯設定画面２６０が表示される。防犯設定画面２６０は、外出アイコン２６０ａと、簡易防犯解除機能を設定するための操作方法を案内する案内メッセージ２６０ｂと、現時点で簡易防犯解除機能が設定されているスイッチを示す設定情報２６０ｃと、を有している。
【００５４】
設定情報２６０ｃは、簡易防犯解除機能を設定することが可能なスイッチを示す文字「ホーム」、「解錠」、「通話」、「終了」と居室親機の図とを含んでいる。本例では、現時点では、通話スイッチ２０４に簡易防犯解除機能が設定されているため、「通話」の文字が例えば赤色で表示され、他の「ホーム」等の文字が黒色で表示される。このように、簡易防犯解除機能が設定されているスイッチを示す文字（情報）が他のスイッチとは互いに異なる表示態様で表示されている。
【００５５】
また、本例では、現時点で簡易防犯解除機能が設定されている通話スイッチ２０４の通話表示灯２０４ａが点滅しており、他のスイッチの表示灯（２０５ａ，２０６ａ，２０７ａ）が点灯している。このように、簡易防犯解除機能が設定されている通話スイッチ２０４の通話表示灯２０４ａが、他のスイッチの表示灯（２０５ａ，２０６ａ，２０７ａ）とは互いに異なる表示態様で表示されている。
【００５６】
図３の（ｃ）は、居住者が、解錠スイッチ２０７に簡易防犯解除機能を設定するとともに外出操作を終了するための操作を示している。図３の（ｃ）に示されるように、居住者は、解錠スイッチ２０７を押下しつつ、防犯設定画面２６０の外出アイコン２６０ａをタッチしている。このように操作することで、簡易防犯解除機能が設定されるスイッチが通話スイッチ２０４から解錠スイッチ２０７に変更される。また、外出アイコン２６０ａが操作されたことによって、居住者が玄関のドアを施錠して外出するまでの予備時間（例えば３０秒）のカウントが開始される。
【００５７】
予備時間が経過すると、図３の（ｄ）に示されるように、インターホンシステム１は防犯待機状態となる。このとき、タッチパネル表示部２０３には、「防犯」の文字が表示される。
【００５８】
このように、防犯アイコン２５０ｂをタッチして外出操作を開始してからインターホンシステムが防犯状態（防犯待機状態）に移行されるまでの間に、解錠スイッチ２０７を押下することによって、解錠スイッチ２０７に簡易防犯解除機能が設定される。このとき、制御部２１０は、外出操作が開始されたことをトリガーとして、各スイッチの少なくとも一つに対して所定の操作が行われたか否かを検出する状態となっている。この状態は、防犯状態に移行することにより終了する。本例では、制御部２１０は、解錠スイッチ２０７への押下操作を検出して、新たに解錠スイッチ２０７に簡易防犯解除機能が設定されたことを簡易解除操作記憶部２１１ｂに記憶する。
【００５９】
続けて、図４を参照して、居住者が帰宅時にインターホンシステム１の防犯状態を解除する操作の一例を説明する。居住者が帰宅してドアを開放すると、防犯センサ３００がドアの開放を検出して防犯センサ回路２１５が検出信号を制御部２１０に送信することによって、インターホンシステム１が防犯待機状態から警戒状態に切り替わる。
【００６０】
図４の（ａ）に示されるように、どのスイッチに簡易防犯解除機能が設定されているかを覚えている居住者は、警戒状態の間（解除操作時間の間）に、簡易防犯解除機能が設定された解錠スイッチ２０７を押下する。このように、居住者が簡易解除操作（本例では簡易解除防犯機能が設定された解錠スイッチ２０７の押下））に成功すると、図４の（ｂ）に示されるように、居室親機２００のタッチパネル表示部２０３には初期メニュー画面２５０が表示されるとともに、インターホンシステム１は警戒状態から待機状態に移行し、インターホンシステム１の防犯状態が解除される。
【００６１】
また、図５の（ａ）と（ｂ）に示されるように、居住者が間違って簡易防犯解除機能が設定されたスイッチとは異なる終了スイッチ２０５を押下した場合、タッチパネル表示部２０３には、暗証番号入力画面２７０が表示され、所定の暗証番号を入力する暗証解除操作が受け付けられる。そして、居住者が正しい暗証番号（暗証番号記憶部２１１ａに記憶された暗証番号）を入力することに成功すると、図５の（ｃ）に示されるように、居室親機２００のタッチパネル表示部２０３には初期メニュー画面２５０が表示されるとともに、インターホンシステム１が警戒状態から待機状態に移行し、インターホンシステム１の防犯状態が解除される。また、暗証番号記憶部２１１ａに記憶された暗証番号とは異なる番号が暗証番号入力画面２７０に入力されると、インターホンシステム１は警戒状態から発報状態に移行し、親機スピーカ２０２や子機スピーカ１０３から警報音が出力される。
【００６２】
以上説明したように、本実施形態のインターホンシステム１によれば、簡易解除操作を知っている居住者は、帰宅時に解錠スイッチ２０７を押下するという簡易な簡易解除操作によって防犯状態を解除することができる。このため、インターホンシステム１は、帰宅時における解除操作の利便性が高い。また、通話スイッチなど本来は別の機能を有するスイッチに簡易防犯解除機能が設定されるため、侵入者にとってどのスイッチが防犯解除用のスイッチなのか分かりにくく、インターホンシステム１の防犯性が高い。
【００６３】
また、本実施形態のインターホンシステム１によれば、インターホンシステム１が警戒状態であるとき、居住者が間違って簡易防犯解除機能が設定されているスイッチとは異なるスイッチを押下した場合、タッチパネル表示部２０３には暗証番号入力画面２７０が表示され、所定の暗証番号を入力する暗証解除操作が受け付けられる。従って、居住者は、簡易防犯解除機能を設定したスイッチを帰宅時に忘れた場合であっても、暗証番号を入力することによってインターホンシステム１の防犯状態を解除することができる。このように、簡易解除操作と暗証解除操作とを段階的に利用可能に設定することで、解除操作の利便性と防犯性とをともに高めることができる。
【００６４】
また、本実施形態のインターホンシステム１によれば、居住者は、外出するときに防犯アイコン２５０ｂをタッチして外出操作を開始した後、外出操作時間が経過してインターホンシステム１が防犯状態（防犯待機状態）に移行されるまでの間に、簡易防犯解除機能を設定したいスイッチを押下することにより、そのスイッチに対して簡易防犯解除機能を設定することができる。従って、居住者は、防犯状態を解除する方法を変更してから外出したい場合、その解除方法を変更するために初期メニュー画面２５０の設定アイコン２５０ｃをタッチして専用の設定画面上で変更操作を行うことなく、外出操作を開始してから解除方法を変更することができ、外出する時における操作の利便性が向上する。
【００６５】
また、本実施形態のインターホンシステム１によれば、簡易防犯解除機能が設定されている通話スイッチ２０４の通話表示灯２０４ａが点滅し、他のスイッチの表示灯（２０５ａ，２０６ａ，２０７ａ）が点灯している。従って、居住者は、各スイッチ（２０４，２０５，２０６，２０７）の表示灯（２０４ａ，２０５ａ，２０６ａ，２０７ａ）の表示態様を見ることで、その時点で簡易防犯解除機能が設定されているスイッチを容易に確認することができる。例えば、居住者が外出操作を開始した後に、その時点で簡易防犯解除機能が設定されているスイッチを忘れた場合であっても、外出操作を中止することなく、簡易防犯解除機能が設定されているスイッチを確認することができる。
【００６６】
また、本実施形態のインターホンシステム１によれば、タッチパネル表示部２０３に表示される防犯設定画面２６０上の設定情報２６０ｃでは、簡易防犯解除機能が設定されている通話スイッチ２０４を示す「通話」の文字が赤色で表示され、他の「ホーム」等の文字が黒色で表示されている。従って、居住者は、タッチパネル表示部２０３に表示されている設定情報２６０ｃを見ることで、その時点で簡易防犯解除機能が設定されているスイッチを確認することができる。例えば、居住者がその時点で簡易防犯解除機能が設定されているスイッチを忘れた場合であっても、外出操作を中止することなく、簡易防犯解除機能が設定されているスイッチを確認することができる。
【００６７】
また、居住者は、初期メニュー画面２５０に含まれる設定アイコン２５０ｃをタッチして表示される専用の設定画面において、簡易解除操作の操作パターンとして、解除のためにスイッチを押し続ける所定の時間（例えば５秒）を設定しても良い。例えば、解除のためにスイッチを押し続ける時間を長い時間（例えば５秒程度）に変更することで、侵入者がランダムに各スイッチを押下して偶然に防犯状態が解除されることを防ぎやすくなり防犯性が向上する。
【００６８】
また、居住者は、簡易解除操作記憶部２１１ｂに対して簡易解除操作の操作パターンを日時単位で設定しても良い。このように日時単位で設定することで、曜日や時間帯によって簡易解除操作の操作パターンが変わり、防犯性が向上する。
【００６９】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００７０】
例えば、上記の実施形態では、居住者が間違って簡易防犯解除機能が設定されたスイッチとは異なるスイッチを押下した場合に暗証番号入力画面２７０が表示される例を説明したがこれに限られない。例えば、インターホンシステム１が警戒状態になるのと同時にタッチパネル表示部２０３に暗証番号入力画面２７０を表示して、防犯状態を解除するための操作として、簡易解除操作と暗証解除操作の両方を同時に受け付ける構成としても良い。
【００７１】
上記の構成によれば、居住者は、インターホンシステム１の防犯状態を解除する解除操作として、暗証解除操作と簡易解除操作とを選択することができ、帰宅時における解除操作の利便性を高めることができる。
【００７２】
また、上記の実施形態では、暗証番号記憶部２１１ａに記憶された暗証番号とは異なる番号が入力された場合に、インターホンシステム１が警戒状態から発報状態に移行し、親機スピーカ２０２や子機スピーカ１０３から警報音が報知される例を説明したがこれに限られない。例えば、インターホンシステム１が警戒状態であるとき、簡易防犯解除機能が設定されたスイッチとは異なるスイッチが押下された場合、即座に親機スピーカ２０２や子機スピーカ１０３から警報音を報知する構成としても良い。
【００７３】
上記の構成によれば、防犯状態を解除する方法を知らない侵入者等がその解除方法とは異なる操作を行った場合に、インターホンシステム１が即座に警報を発する発報状態に移行し、親機スピーカ２０２や子機スピーカ１０３から警報音が報知されるため、防犯性が向上する。
【００７４】
また、上記の実施形態では、１つのスイッチに対して簡易防犯解除機能を設定する例を説明したがこれに限られない。例えば、２つ以上のスイッチに対して簡易防犯解除機能を設定する構成としても良い。
【００７５】
このように複数のボタンに対して簡易防犯解除機能を設定することが可能な構成によれば、簡易解除操作の解除困難度を高めることができ、簡易防犯解除機能が設定されたスイッチを知らない者に対する防犯性が向上する。例えば、侵入者がランダムに各スイッチを押下しても、防犯状態を解除することが困難となる。
【００７６】
また、簡易解除操作の解除困難度を高めるために複数のスイッチに簡易解除機能を設定する場合、簡易解除操作の操作パターンについて、簡易解除機能を設定するスイッチの数だけでなく、解除のために複数のスイッチをそれぞれ押し続ける時間、複数のスイッチに簡易解除機能を設定する場合は複数のスイッチを押す順番などを、簡易解除操作に関連する設定情報として簡易解除操作部２１１ｂに記憶できる構成としても良い。この構成により、解除操作の防犯性と利便性を細かく調整することができる。
【００７７】
なお、上記の実施形態では、外出操作をするための外出操作部を構成する防犯アイコン２５０ｂや外出アイコン２６０ａは居室親機２００の構成の一部であるが、この例に限られない。例えば、外出操作を終了する操作は、玄関子機１００の子機操作部１０１を押下する操作としても良い。
【００７８】
また、操作部を構成する各スイッチ（２０４，２０５，２０６，２０７）は、居室親機２００に機械スイッチとして設けられているが、この例に限られない。例えば、各スイッチ（２０４，２０５，２０６，２０７）の少なくとも一つの機能を、タッチパネル表示部２０３内にアイコンとして表示しても良い。
【００７９】
また、外出操作として、初期メニュー画面２５０の防犯アイコン２５０ｂをタッチする開始操作と、外出アイコン２６０ａをタッチすることで終了する終了操作とを説明したが、この例に限られない。例えば、居室親機２００に機械スイッチで構成される外出スイッチを設けて、この外出スイッチを押下するだけで待機状態から防犯状態に移行する構成としても良い。この場合、外出スイッチと簡易防犯解除機能を設定したいスイッチを同時に押すか、外出スイッチを押下した後に防犯待機状態に移行するまでの間に簡易防犯解除機能を設定したいスイッチを押すことによって、そのスイッチに対して簡易防犯解除機能を設定することができる構成とすれば良い。
【００８０】
また、図３の（ｂ）を参照して、簡易防犯解除機能が設定されている通話スイッチ２０４の通話表示灯２０４ａが点滅して、他のスイッチの表示灯（２０５ａ，２０６ａ，２０７ａ）が点灯する例を説明したが、これに限られない。例えば、互いに異なる態様で点灯する例としては、簡易防犯解除機能が設定されているスイッチの表示灯を点灯させて、他のスイッチの表示灯を消灯させても良く、簡易防犯解除機能が設定されているスイッチと他のスイッチとが互いに視覚的に区別可能な表示態様であれば良い。
【００８１】
また、図３の（ｃ）を参照して、簡易防犯解除スイッチを設定したいスイッチと外出アイコンとを同時にタッチしている状態がある操作を説明したが、これに限られない。例えば、外出操作を終了させる外出アイコンをタッチする前に、簡易防犯解除機能を設定したいスイッチのみを押下してもよいし、外出アイコンをタッチした後、防犯状態（防犯待機状態）に移行するまでの間に、簡易防犯解除機能を設定したいスイッチを押下する構成としても良い。
【００８２】
また、上記の実施形態では、初期メニュー画面２５０に含まれる設定アイコン２５０ｃをタッチして表示される専用の設定画面において、簡易解除操作の操作パターン（解除のためにスイッチを押し続ける時間）を設定する例を説明したがこれに限られない。例えば、簡易防犯解除機能を設定したいスイッチを外出アイコンと同時に１０秒間継続して押し続けた場合、簡易解除操作として、簡易防犯解除機能が設定されたスイッチを１０秒間継続して押し続けることが必要とされる操作が設定される構成としても良い。このように、外出時に簡易解除防犯機能を設定したいスイッチに対して行う操作内容を、簡易解除操作の操作パターン（解除条件）として設定することができることによって、外出する時における操作の利便性が更に向上する。
【００８３】
なお、本発明のインターホンシステムは、マンション等の集合住宅の各住戸や一戸建ての住戸などの玄関を有する建物に対して利用可能である。例えば、上記の玄関子機１００の機能の一部を集合玄関機に持たせることができる。
【符号の説明】
【００８４】
１：インターホンシステム、１００：玄関子機、１０１：子機操作部、１０２：子機カメラ、１０３：子機スピーカ、１０４：子機マイク、２００：居室親機、２０１：親機マイク、２０２：親機スピーカ、２０３：タッチパネル表示部、２５０：初期メニュー画面、２５０ａ：情報アイコン、２５０ｂ：防犯アイコン、２５０ｃ：設定アイコン、２６０：防犯設定画面、２６０ａ：外出アイコン、２６０ｂ：案内メッセージ、２６０ｃ：設定情報、２７０：暗証番号入力画面、２０４：通話スイッチ、２０４ａ：通話表示灯、２０５：終了スイッチ、２０５ａ：終了表示灯、２０６：ホームスイッチ、２０６ａ：ホーム表示灯、２０７：解錠スイッチ、２０７ａ：解錠表示灯
【図１】
2014192594.tif 000003
【図２】
2014192594.tif 000004
【図３】
2014192594.tif 000005
【図４】
2014192594.tif 000006
【図５】
2014192594.tif 000007